(57)【要約】【課題】ハウジングに形成された記録再生ヘッドアクセス用の開口を開閉する金属薄板からなるロータリーシャッタを備え、ロータリーシャッタを閉方向に付勢する引っ張りバネであるバネ部材が、一端をハウジングに係止され、他端をロータリーシャッタに係止されてなる小型ディスクカートリッジにおいて、バネ部材の端部がロータリーシャッタ側の係止部から外れるのを防止する。【解決手段】ロータリーシャッタ側のバネ係止部Ｂを、下シャッタ部材７Ｄの回動面から半径方向外方に突出する係止用ベース部１３のロータリーシャッタ開方向側の縁部に形成された折曲げ片１３ａにより構成する。【選択図】        図１
2005267815.tif 000002
【特許請求の範囲】
【請求項１】
記録媒体としてのディスクを回転自在に収容し、かつ記録再生ヘッドアクセス用の開口と、駆動スピンドルアクセス用の開口部とを備えたハウジング内に、バネ部材により閉方向に付勢された態様で前記記録再生ヘッドアクセス用の開口を開閉する金属薄板からなるロータリーシャッタが回動可能に設けられ、前記バネ部材が、前記ハウジングに形成された第１バネ係止部に一端を係止され、他端を、前記第１バネ係止部よりも前記ロータリーシャッタの開方向側において該ロータリーシャッタに形成された第２バネ係止部に係止されて、該ロータリーシャッタの開動作に伴って延伸されるように構成された小型ディスクカートリッジにおいて、
前記第２バネ係止部が、前記ロータリーシャッタの回動面から半径方向外方に突出する係止用ベース部の前記開方向側の縁部に形成された折曲げ片により構成されていることを特徴とする小型ディスクカートリッジ。
【請求項２】
前記折曲げ片の前記係止用ベース部に対する折曲げ角度が９０度または９０度以下であることを特徴とする請求項１記載の小型ディスクカートリッジ。
【請求項３】
記録媒体としてのディスクを回転自在に収容し、かつ記録再生ヘッドアクセス用の開口部と、駆動スピンドルアクセス用の開口部とを備えたハウジング内に、バネ部材により閉方向に付勢された態様で前記記録再生ヘッドアクセス用の開口を開閉する金属薄板からなるロータリーシャッタが回転可能に設けられ、前記バネ部材が、前記ハウジングに形成された第１バネ係止部に一端を係止され、他端を、前記第１バネ係止部よりも前記ロータリーシャッタの開方向側において該ロータリーシャッタに形成された第２バネ係止部に係止されて、該ロータリーシャッタの開動作に伴って延伸されるように構成された小型ディスクカートリッジにおいて、
前記第２バネ係止部が、前記ロータリーシャッタの回動面から半径方向外方に突出する係止用ベース部の先端側の縁部に形成された折曲げ片により構成されていることを特徴とする小型ディスクカートリッジ。
【請求項４】
前記ロータリーシャッタが、記録再生ヘッドアクセス用の開口部をそれぞれ備えて前記ディスクの両面を覆う態様で互いに係合された上シャッタ部材と下シャッタ部材とからなり、前記第２バネ係止部が、駆動スピンドル用開口部を備えた前記下シャッタ部材に設けられていることを特徴とする請求項１から３記載のいずれか１項記載の小型ディスクカートリッジ。
【発明の詳細な説明】
【技術分野】
【０００１】
本発明は、ハウジング内にディスクを回転自在に収容してなる小型ディスクカートリッジに関し、特にハウジングに形成された記録再生ヘッドアクセス用の開口を開閉するためのロータリーシャッタを閉方向に付勢するバネ部材の係止構造の改良に関するものである。
【背景技術】
【０００２】
従来、デジタルカメラ等のモバイル機器においては、記録媒体として例えば特許文献１に記載されているような「ｃｌｉｋ！（登録商標）」と呼ばれる超小型の磁気ディクカートリッジが使用されている。
【０００３】
この磁気ディスクカートリッジ１は、図５（ａ）〜（ｃ）にそのロータリーシャッタ７が閉状態にある平面図、右側面図および底面図を、図６（ａ），（ｂ）にロータリーシャッタ７が開状態にある平面図および底面図を、図７にその分解斜視図をそれぞれ示すように、押込み部２ａを含む樹脂製のフレーム２と、金属薄板からなる上下シェル３，４とによって構成された、幅５０ｍｍ、奥行き５５ｍｍ、厚さ１．９５ｍｍの扁平なハウジング内に、直径１．８インチ（４５．７ｍｍ）の磁気ディスク５を回転自在に収容している。
【０００４】
この磁気ディスクカートリッジ１は、図示しないドライブ装置に挿入態様で装填されるように構成され、そのハウジングには、ドライブ装置が備えている磁気ヘッド（記録再生ヘッド）を磁気ディスク５の表面にアクセスさせるためのＶ字状の開口部６と、この開口部６を開閉するためのロータリーシャッタ７とが設けられている。
【０００５】
ハウジングの開口部６とほぼ同一形状の開口部７ａを備えたロータリーシャッタ７は、互いに係合された上下のシャッタ部材７Ｕ、７Ｄ（図７参照）からなり、上シャッタ部材７Ｕは上シェル３に、下シャッタ部材７Ｄは下シェル４にそれぞれ回転可能に軸支されている。そして、磁気ディスク５と上下のシャッタ部材７Ｕ、７Ｄとの間には、それぞれライナー１８が介挿されている。
【０００６】
また、図５（ａ）におけるハウジングの左側面先端部には、ドライブ装置の係合部材に係合させて、ドライブ装置内での位置決めを確実にするためのノッチ８が形成され、右側面先端部には、ロータリーシャッタ７を閉位置にロックするためのシャッタロック部材１１を外部に臨ませる小窓９が図５（ｂ）に示すように形成されている。
【０００７】
ハウジングの下シェル４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００８】
図８（ａ）は磁気ディスクカートリッジ１のロータリーシャッタ７が閉位置にあるときの状態を、図８（ｂ）はロータリーシャッタ７が開位置にある状態を、それぞれシャッタロック部材１１を残して上シェル３のみを取り除きかつ磁気ディスク５を省略して示す平面図である。
【０００９】
ロータリーシャッタ７を閉位置にロックするシャッタロック部材１１は、ロータリーシャッタ７の外周に形成された係合凹部７ｃに係入し得る係合凸部１１ａを先端に備えて、図示されていない上シェル３に設けられた軸１２に回動自在に取り付けられているとともに、バネ板１１ｂによって、上記係合凸部１１ａが上記係合凹部７ｃに係入し得る方向（図８の反時計方向）にバネ付勢されている。
【００１０】
そして、磁気ディスクカートリッジ１がドライブ装置へ挿入される際に、ドライブ装置のロック解除部材が小窓９を通してシャッタロック部材１１を押圧することにより、ロック部材１１が時計方向に僅かに回動されて、係合凸部１１ａが係合凹部７ｃから脱出することによって、ロータリーシャッタ７のロックが解除される。
【００１１】
上シャッタ部材７Ｕと下シャッタ部材７Ｄとからなるロータリーシャッタ７は、コイルバネ１４によって閉方向（図８の反時計方向）にバネ付勢されている。上記コイルバネ１４は、フレーム２の右端におけるロータリーシャッタ７の外周面に対向する部位２ｂに形成された第１バネ係止部Ａにおいて一端を係止され、他端は、第１バネ係止部Ａよりもロータリーシャッタ７の開方向側においてロータリーシャッタ７に形成された第２バネ係止部Ｂに係止されて、フレーム２とロータリーシャッタ７の外周縁との間に形成された円弧状のバネガイド溝２ｃ内に収容され、ロータリーシャッタ７の開動作に伴って、図８（ｂ）に示すように延伸される。
【００１２】
第２バネ係止部Ｂは、図９に示すように、下シャッタ部材７Ｄの回動面から半径方向外方に延びてバネガイド溝２ｃ内に突出する係止用ベース部１３の縁部に形成された折曲げ片１３ａ´により構成されている。
【００１３】
そして、磁気ディスクカートリッジ１がドライブ装置に挿入されると、先ずロック解除部材がシャッタロック部材１１を押圧してロータリーシャッタ７のロック状態を解除し、その状態でシャッタノブ７ｂがドライブ装置のシャッタノブ係止壁に係合するから、磁気ディスクカートリッジ１の押し込みに伴ってロータリーシャッタ７がコイルバネ１４を延伸しながら回動されて、図６（ａ），（ｂ）および図８（ｂ）に示すように開状態となる。
【００１４】
ところで、上述した従来の磁気ディスクカートリッジ１においては、図９に示すように、第２バネ係止部Ｂが、下シャッタ部材７Ｄの回動面から半径方向外方に延びてバネガイド溝２ｃ内に突出する係止用ベース部１３の縁部からほぼ直角に折り曲げられた折曲げ片１３ａ´によって構成されているが、従来は、この折曲げ片１３ａ´が、係止用ベース部１３の第１バネ係止部Ａ側の縁部、すなわちロータリーシャッタ７の閉方向側の縁部に形成されて、折曲げ片１３ａ´の面がコイルバネ１４の引っ張り方向に対してほぼ直角になっている。
【００１５】
この折曲げ片１３ａ´は一般に、金属薄板からなる下シャッタ部材７Ｄに対するワンパンチの折曲げ工程によって形成されるが、加工後のバックラッシュによって、図１０の仮想線で示すように、折曲げ角度が９０度よりも浅くなる方向に、すなわち折曲げ片１３ａ´の上端がコイルバネ１４の引っ張り方向に移動するように折曲げ片１３ａ´が変位する現象が生じる。これに加えて、折曲げ片１３ａ´に対しコイルバネ１４の引っ張り力が折曲げ角度を浅くする方向に作用するため、この折曲げ角度が浅くなる傾向が助長され、その結果、コイルバネ１４の端部が第２バネ係止部Ｂから外れる懼れが生じる。
【００１６】
これを防止するためには、折曲げ工程をツーパンチとして折曲げ角度を９０度よりも深くするか、あるいは折曲げ片１３ａ´に抜け止めを設けることが考えられるが、加工工程が増えたり、プレス金型構造を複雑にしたりする欠点がある。
【特許文献１】米国特許第６２５６１６８号明細書
【発明の開示】
【発明が解決しようとする課題】
【００１７】
解決しようとする問題は、記録媒体としてのディスクを回転自在に収容し、かつ記録再生ヘッドアクセス用の開口と、駆動スピンドルアクセス用の開口部とを備えたハウジング内に、バネ部材により閉方向に付勢された態様で上記記録再生ヘッドアクセス用の開口を開閉する金属薄板からなるロータリーシャッタが回動可能に設けられ、上記バネ部材が、上記ハウジングに形成された第１バネ係止部に一端を係止され、他端を、上記第１バネ係止部よりも上記ロータリーシャッタの開方向側においてこのロータリーシャッタに形成された第２バネ係止部に係止されて、ロータリーシャッタの開動作に伴って延伸されるように構成された小型ディスクカートリッジにおいて、単純な構造によって、コイルバネの端部が第２バネ係止部から外れるのを防止することにある。
【課題を解決するための手段】
【００１８】
本願第１の発明は、ロータリーシャッタを閉方向に付勢する引っ張りバネであるバネ部材の他端を係止するためにロータリーシャッタに形成された第２バネ係止部が、ロータリーシャッタの回動面から半径方向外方に突出する係止用ベース部のロータリーシャッタ開方向側の縁部に形成された折曲げ片により構成されていることを特徴とするものである。
【００１９】
上記折曲げ片の係止用ベース部に対する折曲げ角度は、９０度または９０度以下であることが好ましい。
【００２０】
本願第２の発明は、上記第２バネ係止部が、ロータリーシャッタの回動面から半径方向外方に突出する係止用ベース部の先端側の縁部に形成された折曲げ片により構成されていることを特徴とするものである。
【００２１】
上記第１および第２の発明において、上記ロータリーシャッタが、記録再生ヘッドアクセス用の開口部をそれぞれ備えてディスクの両面を覆う態様で互いに係合された上シャッタ部材と下シャッタ部材とからなる場合に、上記第２バネ係止部は、駆動スピンドル用開口部を備えた下シャッタ部材に設けられる。
【発明の効果】
【００２２】
本願第１の発明によれば、バネ部材の他端を係止するためにロータリーシャッタに形成された第２バネ係止部が、ロータリーシャッタの回動面から半径方向外方に突出する係止用ベース部のロータリーシャッタ開方向側の縁部に、すなわち、ハウジングに形成された第１バネ係止部側とは反対側の縁部に形成された折曲げ片により構成されていることにより、加工後のバックラッシュによって折曲げ角度が９０度よりも浅くなるように折曲げ片が変位しても、バネ部材が第２バネ係止部から外れる懼れはなくなる。したがって簡単な構造によって目的を達することができ、これによって生産性の向上を図ることができる。
【００２３】
また、本願第２の発明によれば、バネ部材の他端を係止するためにロータリーシャッタに形成された第２バネ係止部が、ロータリーシャッタの回動面から半径方向外方に突出する係止用ベース部の先端側の縁部に形成された折曲げ片により構成されていることにより、折曲げ片の面がバネ部材の引っ張り方向に対してほぼ平行になるから、加工後のバックラッシュによって折曲げ角度が９０度よりも浅くなるように折曲げ片が変位しても、バネ部材が第２バネ係止部から外れるという問題は全く生じない。
【発明を実施するための最良の形態】
【００２４】
以下、本発明の実施の形態について、図面を参照して詳細に説明する。
【００２５】
図１は、本願第１の発明によるディスクカートリッジの実施の形態を示す要部の分解斜視図、図２は図１の第２バネ係止部の拡大斜視図、図３はその正面図である。
【００２６】
本実施の形態は、第２バネ係止部の構成を除き、図５〜図８を参照して説明した従来の磁気ディスクカートリッジ１と同様の構成を有するから、同一部材には同一符号を付し、重複する説明は省略する。
【００２７】
図１には、フレーム２と、下シャッタ部材７Ｄと、ハウジングの下シェル４と、ロータリーシャッタ７を閉方向に付勢するコイルバネ１４のみが示されており、フレーム２に設けられた第１バネ係止部Ａに一端を係止されたコイルバネ１４の他端には、ループ１４ａが形成されている。
【００２８】
下シャッタ部材７Ｄの外周には、図２に示すように、下シャッタ部材７Ｄの回動面から半径方向外方に突出する係止用ベース部１３が一体に形成され、このベース部１３のロータリーシャッタ開方向側の縁部に、コイルバネ１４の他端のループ１４ａを嵌着係止する折曲げ片１３が形成されて、第２バネ係止部Ｂを構成している。
【００２９】
このような第２バネ係止部Ｂの構成により、加工後のバックラッシュによって折曲げ片１３ａが、図３に仮想線で示すように折曲げ角度が９０度よりも浅くなる方向に変位しても、コイルバネ１４のループ１４ａが第２バネ係止部Ｂから外れる懼れはなくなること明らかである。
【００３０】
同様の理由から、下シャッタ部材７Ｄに対するワンパンチの折曲げ工程によって折曲げ片１３ａを形成する場合に、折曲げ角度が９０度より浅くてもよいことになる。
【００３１】
次の図４は、本願第２の発明によるディスクカートリッジの実施の形態を図２に対応させて示す第２バネ係止部の拡大斜視図である。
【００３２】
本実施の形態においても、下シャッタ部材７Ｄの回動面から半径方向外方に突出する係止用ベース部１３が一体に形成されているが、コイルバネ１４の他端のループ１４ａを嵌着係止する折曲げ片１３が、ベース部１３の先端側の縁部形成されている点が、図２に示す構成と異なっている。
【００３３】
本実施の形態によれば、加工後のバックラッシュによって折曲げ角度が９０度よりも浅くなるように折曲げ片１３ａが変位しても、コイルバネ１４の他端のループ１４ａが第２バネ係止部Ｂから外れるという問題は全く生じないことになる。
【図面の簡単な説明】
【００３４】
【図１】本願第１の発明によるディスクカートリッジの実施の形態を示す要部の分解斜視図である。
【図２】図１の第２バネ係止部の拡大斜視図である。
【図３】図２の第２バネ係止部の正面図である。
【図４】本願第２の発明によるディスクカートリッジの実施の形態における第２バネ係止部の拡大斜視図である。
【図５】図５（ａ）〜（ｃ）は、ロータリーシャッタが閉状態にあるときの従来の磁気ディスクカートリッジを示す平面図、右側面図および底面図である。
【図６】図６（ａ），（ｂ）は、ロータリーシャッタが開状態にあるときの図５の磁気ディスクカートリッジを示す平面図および底面図である。
【図７】図５の磁気ディスクカートリッジの分解斜視図である。
【図８】図８（ａ），（ｂ）は、図５の磁気ディスクカートリッジを、ロータリーシャッタの閉状態および開状態において、それぞれシャッタロック部材を残して上シェルのみを取り除きかつ磁気ディスクを省略して示す平面図である。
【図９】従来の磁気ディスクカートリッジにおける第２バネ係止部の拡大斜視図である。
【図１０】図９の第２バネ係止部の正面図である。
【符号の説明】
【００３５】
２    フレーム
３    上シェル
４    下シェル
５    磁気ディスク
７    ロータリーシャッタ
７Ｕ    上シャッタ部材
７Ｄ    下シャッタ部材
１３    係止用ベース部
１３ａ    折曲げ片
１４    コイルバネ
Ａ    第１バネ係止部
Ｂ    第２バネ係止部
【図１】
2005267815.tif 000003
【図２】
2005267815.tif 000004
【図３】
2005267815.tif 000005
【図４】
2005267815.tif 000006
【図５】
2005267815.tif 000007
【図６】
2005267815.tif 000008
【図７】
2005267815.tif 000009
【図８】
2005267815.tif 000010
【図９】
2005267815.tif 000011
【図１０】
2005267815.tif 000012